(57)【特許請求の範囲】
【請求項１】
光ディスクの記録面に対して近接場光による情報の記録または再生を行うための光ディスク装置において、
少なくともディスク半径方向に間隔を置いて配置され、光ディスクの記録面に近接場光を照射する複数の光照射部と、
これらの光照射部を光ディスクの記録面から所定距離を保って保持する支持部材と、
各光照射部に光を供給する光源と、
各光照射部にそれぞれ対応して設けられ、光ディスクの記録面からの反射光を検出する光検出部と
を備え、
光ディスクの記録面に平行な方向における前記複数の光照射部同士の間隔は、前記光源の光の半波長より大きく設定され、
各光検出部は、対応する光照射部に対して、隣接する他の光照射部とは反対の側の近傍に配置されていることを特徴とする光ディスク装置。
【請求項２】
ディスク周方向に延びると共にディスク半径方向に交互に配列された情報用領域およびトラッキング用領域を備えた記録面を有する光ディスクの該記録面に対して近接場光による情報の記録または再生を行うための請求項１記載の光ディスク装置であって、
前記トラッキング用領域に対応して設けられ、前記記録面に光を照射するトラッキング用光照射部と、
このトラッキング用光照射部に対応して設けられ、前記記録面からの反射光を検出するトラッキング用光検出部と、
前記トラッキング用光照射部に光を供給するトラッキング用光源と
を更に備えたことを特徴とする請求項１記載の光ディスク装置。
【発明の詳細な説明】
【０００１】
【発明の属する技術分野】
本発明は、ディスクの記録面に対して近接場光による情報の記録または再生を行うため光ディスクおよび光ディスク装置に係り、とりわけ、光ディスクの記録面におけるトラックの構成を改良した光ディスク、およびそのような光ディスクのための光ディスク装置に関する。
【０００２】
【従来の技術】
従来の一般的な光ディスク装置は、伝搬光を用いて情報の記録または再生を行っているため、光の回折限界を超えて情報の記録または再生を行うことができず、光源の光の波長によって記録マークの大きさが制限されてしまう。
【０００３】
そこで、回折限界に制限されない近接場光を用いて情報の記録または再生を行う光ディスク装置が提案されている。この近接場光を用いると、光ディスクの記録面を照射する範囲が、光源波長によらず、光照射部の光学的開口の大きさによって決まるので、通常の伝搬光を用いる場合に比べて記録マークを微小化し、より高密度の情報記録を実現することができる。
【０００４】
【発明が解決しようとする課題】
しかしながら、近接場光を用いた光ディスク装置においては、光照射部への励起効率の低さや、先鋭化された光照射部（プローブ）の機械的な脆さ等の制約から、ディスクの記録面上における走査を比較的低速で行う必要がある。そして、このような走査速度の低さが、近接場光による記録または再生における情報の転送速度を向上させる上での制約となっている。
【０００５】
このような走査速度上の制約のうち、光照射部の機械的な脆さに関しては、シリコンの異方性エッチングを用いた平面型プローブアレイに関する研究などを通じて解決が図られている。また、励起効率の向上に関しても、先鋭化された光プローブの研究（T.Yatsui et al:Appl.Phys.lett.,vol.71,no.13,pp.1756(1997) ）などを通じて解決が進められている。
【０００６】
しかし、上記のような走査速度上の制約の両方を同時に解消して、ディスクの記録面上における走査を高速で行えるような手段を見出すに至っていないのが現状である。このため、ディスクの記録面に対する走査速度を上げなくても、近接場光による記録または再生における情報の転送速度を高められるようにすることが、当面の課題となっている。
【０００７】
本発明は、このような点を考慮してなされたものであり、ディスクの記録面に対する走査速度を上げなくても、近接場光による記録または再生における情報の転送速度を高めることのできる光ディスク装置を提供することを目的とする。
【００１３】
【課題を解決するための手段】
本発明は、光ディスクの記録面に対して近接場光による情報の記録または再生を行うための光ディスク装置において、少なくともディスク半径方向に間隔を置いて配置され、光ディスクの記録面に近接場光を照射する複数の光照射部と、これらの光照射部を光ディスクの記録面から所定距離を保って保持する支持部材と、各光照射部に光を供給する光源と、各光照射部にそれぞれ対応して設けられ、光ディスクの記録面からの反射光を検出する光検出部とを備え、光ディスクの記録面に平行な方向における前記複数の光照射部同士の間隔は、前記光源の光の半波長より大きく設定され、各光検出部は、対応する光照射部に対して、隣接する他の光照射部とは反対の側の近傍に配置されていることを特徴とする光ディスク装置である。
【００１４】
この光ディスク装置によれば、一の光照射部に対応した情報記録帯からの反射光が、隣接する他の光照射部に対応する光検出部に漏れ込むことを防止できるので、特に反射光に関して、隣接する情報記録帯同士の間のクロストークをより効果的に防止することが可能となる。
【００１５】
この光ディスク装置は、ディスク周方向に延びると共にディスク半径方向に交互に配列された情報用領域およびトラッキング用領域を備えた記録面を有する光ディスクの該記録面に対して近接場光による情報の記録または再生を行うための光ディスク装置であって、前記トラッキング用領域に対応して設けられ、前記記録面に光を照射するトラッキング用光照射部と、このトラッキング用光照射部に対応して設けられ、前記記録面からの反射光を検出するトラッキング用光検出部と、前記トラッキング用光照射部に光を供給するトラッキング用光源とを更に備えたものであることが好ましい。
【００１６】
この光ディスク装置において、トラッキング用光照射部から照射される光が、上記トラッキング用領域に照射される近接場光となるように構成してもよい。この場合は、トラッキング用領域を、情報用領域とは別個に近接場光による光検出可能な情報が記録された情報記録帯の構造とすることが好ましい。
【００１７】
また、この光ディスク装置において、近接場光を照射するトラッキング用光照射部を複数設ける場合は、上記光照射部の場合と同様の観点から、光ディスクの記録面に平行な方向における複数のトラッキング用光照射部同士の間隔は、上記トラッキング用光源の光の半波長より大きく設定されていることが好ましい。
【００１８】
また、この光ディスク装置において、トラッキング用光照射部に対応させてトラッキング用光検出部を複数設ける場合も、上記光検出部の場合と同様の観点から、対応するトラッキング用光照射部に対して、隣接する他のトラッキング用光照射部とは反対の側の近傍に配置されていることが好ましい。
【００１９】
【発明の実施の形態】
次に、図面を参照して本発明の実施の形態について説明する。図１乃至図９は本発明による光ディスクおよび光ディスク装置の実施の形態を示す図である。
【００２０】
［第１の実施形態］
まず、図１乃至図５により本発明の第１の実施形態について説明する。図１には、光ディスク１と、この光ディスク１の記録面１ａに対して近接場光による情報の記録または再生を行うための光ディスク装置の光ヘッド２部分が示されている。
【００２１】
図１に示すように、光ディスク１の基板１１上に形成された記録面１ａは、それぞれディスク周方向（トラック方向）Ｔに延びると共にディスク半径方向Ｒに交互に配列された情報用領域１３およびトラッキング用溝部（トラッキング用領域）１４を備えている。また、情報用領域１３は、近接場光による情報の記録または再生を行うための情報記録帯（トラック）１５であって、ディスク半径方向Ｒに配列された複数（ここでは４本）の情報記録帯１５を含んでいる。
【００２２】
ここで、上記情報用領域１３の構成について説明する。この情報用領域１３は、ディスク基板１１上に蒸着等で形成された情報記録膜１２によって構成されている。この情報記録膜１２の材料としては、照射光の熱的作用によって記録面１ａの反射率を変化させる相変化型材料、同じく熱的作用によって反射光の偏光の回転角を変化させる光磁気材料、或いは照射光の光学的作用によって記録面１ａの反射率を変化させるフォトクロミック材料などが考えられる。
【００２３】
次に、図４に示すように、光ディスク装置は、光ディスク１の記録面１ａ上に配置された上記光ヘッド２と、この光ヘッド２をディスク半径方向Ｒに移動可能に支持するサスペンション６とを備えている。
【００２４】
上記光ヘッド２は、図２に示すように、一般にハードディスク用の磁気ヘッドで用いられるような、流体軸受け効果を応用した浮上型スライダ（支持部材）２０を有している。すなわち、スライダ２０の底面両側には、ディスク周方向Ｔに延びる一対のレール部２０ｂ，２０ｂが形成され、これらのレール部２０ｂ，２０ｂ同士の間に溝部２０ａが形成されている。また、この溝部２０ａにおけるディスク周方向Ｔの後端部には、近接場光による記録・再生を行うための光デバイス２１が設けられている。
【００２５】
この光デバイス２１は、図３（ａ）において上下層に分離した状態で拡大して示すように、上記光ディスク１の情報用領域１３に近接場光を照射する複数（ここでは４つ）の光照射部２６を備えている。
【００２６】
また、光デバイス２１は、各光照射部２６に光を供給する半導体レーザ等の光源２５と、各光源２５から対応する光照射部２６まで光を伝搬させる円錐形の光導波路２８とを備えている。ここで、各光照射部２６は、光源２５の光の波長より小さい直径（例えば数十ｎｍ）の円形開口を有している。
【００２７】
そして、図３（ａ）、（ｂ）に示すように、複数の光照射部２６は、上記光ディスク１における各情報記録帯１５に対応してディスク半径方向Ｒに間隔を置いて配置されている。また、図３（ｂ）に示すように、上記光ディスク１の記録面１ａに平行な方向における光照射部２６同士の間隔ｄ1,ｄ2 が、光源２５の光の半波長より大きくなるように、ディスク半径方向Ｒに隣り合う光照射部２６同士は、ディスク周方向Ｔに所定間隔を置いて配置されている。
【００２８】
なお、図３（ａ）において二点鎖線で示された、光源２５と同一形状の多数の部分は、上記のような光照射部２６（および対応する光源２５）の配置を表すために仮想的に描かれたものである（後に参照する図８においても同様）。
【００２９】
また、図３（ａ）、（ｂ）に示すように、光デバイス２１は、各光照射部２６にそれぞれ対応して設けられた光検出部２７を備えている。これらの光検出部２７は、対応する光照射部２６から照射された近接場光に対する、情報用領域１３（各情報記録帯１５）からの反射光を検出するようになっている。そして、図３（ｂ）に最も良く示されるように、各光検出部２７は、対応する光照射部２６に対して、隣接する他の光照射部２６とは反対の側の近傍に配置されている。
【００３０】
次に、図２に示すように、上記スライダ２０の一対のレール部２０ｂ，２０ｂには、トラッキング用光照射部２２と、このトラッキング用光照射部２２に隣接するトラッキング用光検出部２３とがそれぞれ設けられている。このうち、一対のトラッキング用光照射部２２は、光ディスク１の情報用領域１３の（トラッキング用溝部１４に対応する）両側端部（図１参照）に通常の伝搬光を照射するようになっている。また、トラッキング用光検出部２３は、対応するトラッキング用光照射部２２から照射された光に対する、光ディスク１の記録面１ａからの反射光を検出するようになっている。
【００３１】
次に、近接場光による光ディスク１の記録面１ａ（情報記録帯１５）に対する情報の記録について説明する。図３に示す上記光ヘッド２において、光源２５から出た光は、光導波路２８に入射して光導波路２８中を導波し、各光照射部２６の開口まで伝搬される。この伝搬光は、各光照射部２６の開口を出た直後に、近接場光による非放射場（エバネッセント場）に変換される。この非放射場による上記熱的作用または光学的作用によって、対応する情報記録帯１５に記録マークとして情報が書き込まれる。
【００３２】
次に、近接場光による光ディスク１の記録面１ａ（情報記録帯１５）からの情報の再生について説明する。情報の再生においては、予め記録マークとして情報が記録された各情報記録帯１５に対して、対応する光照射部２６から近接場光を照射し、その反射光を対応する光検出部２７で検出する。そして、各光検出部２７で検出された反射光の強度に応じて、再生信号が生成される。
【００３３】
次に、図２に示す上記トラッキング用光照射部２２およびトラッキング用光検出器２３を用いた、いわゆるプッシュプル法によるトラッキング制御について説明する。まず、スライダ２０が情報用領域１３に対してずれていない場合は、一対のトラッキング用光照射部２２，２２から照射された伝搬光は、情報用領域１３における上記両側端部で反射し、一対のトラッキング用光検出器２３，２３の検出する反射光の強度が等しくなる。
【００３４】
これに対して、スライダ２０が情報用領域１３に対して右方向にずれた場合は、右側（図２においては左側）のトラッキング用光照射部２２から照射された光は、全部または一部が当該情報用領域１３の右側のトラッキング用溝部１４で反射し、右側のトラッキング用光検出器２３の検出する反射光の強度が相対的に弱くなる。また、スライダ２０が情報用領域１３に対して左方向にずれた場合は、左側（図２においては右側）のトラッキング用光照射部２２から照射された光は、全部または一部が当該情報用領域１３の左側のトラッキング用溝部１４で反射し、左側の光検出器２３の検出する反射光強度が相対的に弱くなる。
【００３５】
従って、一対のトラッキング用光検出部２３の検出した反射光の強度差に基づいて、この強度差が零になるようにスライダ２０の位置を制御することで、トラッキング制御を行うことができる。
【００３６】
なお、以上の情報の記録・再生およびトラッキング制御は、光ディスク１を回転させて、その記録面１ａ上を、スライダ２０が（相対的に）所定の走査速度でディスク周方向Ｔに走査する状態で行われる。
【００３７】
次に、このような構成よりなる本実施形態の作用効果について説明する。本実施形態によれば、上述したように情報用領域１３とトラッキング用溝部１４を基準としてトラッキングを行いながら、情報用領域１３に含まれる複数の情報記録帯１５に対して、同時に近接場光による情報の記録または再生を行うことが可能となる。
【００３８】
このことにより、単一の情報記録帯に対して近接場光による情報の記録または再生を行う場合に比べて、一度に記録又は再生できる情報量を増大させることができる。従って、記録面１ａに対する走査速度を上げなくても、近接場光による記録または再生における情報の転送速度を高めることができる。
【００３９】
また、近接場光は光源２５の光の半波長程度の距離で急激に減衰するので、ディスク１の記録面１ａに平行な方向における複数の光照射部２６同士の間隔を、光源２５の光の半波長より大きくしたことにより、隣接する情報記録帯１５同士の間のクロストークを防止することができる。このため、当該情報の記録または再生を安定的なものとすることができる。
【００４０】
さらに、各光検出部２７は、対応する光照射部２６に対して、隣接する他の光照射部２６とは反対の側の近傍に配置されているので、一の光照射部２６に対応した情報記録帯１５からの反射光が、隣接する他の光照射部２６に対応する光検出部２７に漏れ込むことを防止できるので、特に反射光に関して、隣接する情報記録帯１５同士の間のクロストークをより効果的に防止することが可能となる。
ここで、本実施形態の変形例について説明する。この変形例は、図５及び図６に示すように、上記トラッキング用溝部１４を備えた光ディスク１に代えて、トラッキング用突起部１６を備えた光ディスク１′を用いたものである。
【００４１】
具体的には、図５及び図６に示すように、光ディスク１′の記録面１ａ′は、図１に示す複数のトラッキング用溝部１４に代えて、それぞれトラッキング用突起部（トラッキング用領域）１６を備えている。また、光ディスク装置は、基本的に図１乃至図４に示すのと同様の光ヘッド２を備えている。但し、この変形例においては、図６に示すように、光ヘッド２におけるスライダ２０の一対のレール部２０ｂ，２０ｂ底面（いわゆるスキー面）が、それぞれ上記トラッキング用突起部１６に当接した状態で走査が行われるようになっている。
【００４２】
この場合、光ヘッド２の上記光デバイス２１における各光照射部２６の開口と、光ディスク１′の情報用領域１３（情報記録膜１２）表面との間の距離が、近接場光の減衰する距離である上記光源２５の光の半波長より小さい距離に保たれるようになっている。このことにより、各光照射部２６の開口から照射される近接場光Ｎは、十分な強度で情報用領域１３（情報記録膜１２）の表面に到達し、情報用領域１３上の情報記録帯１５に記録マークとして情報を記録することが可能となる。（なお、この点は、図１乃至図４に示す光ディスクおよび光ディスク装置の場合も同様である。）
［第２の実施形態］
次に、図７乃至図９により本発明の第２の実施形態について説明する。本実施形態は、上記光ディスク１に代えて図７に示す光ディスク３を用いると共に、上記光ヘッド２に代えて図８に示すような光ヘッド４を備えた光ディスク装置を用いた点で上記第１の実施形態と異なり、その他の構成は図１乃至図４に示す上記第１の実施形態と略同様である。
【００４３】
具体的には、まず図７に示すように、光ディスク３の基板３１上に形成された記録面３ａは、それぞれディスク周方向Ｔに延びると共にディスク半径方向Ｒに交互に配列された情報用領域３３およびトラッキング用情報記録帯（トラッキング用領域）３４を備えている。また、情報用領域３３は、近接場光による情報の記録または再生を行うための情報記録帯３５であって、ディスク半径方向Ｒに配列された複数（ここでは４本）の情報記録帯３５を含んでいる。
【００４４】
この場合、情報用領域３３とトラッキング用情報記録帯３４とは、共に基板３１上に蒸着等で形成された情報記録膜３２によって構成されているが、トラッキング用情報記録帯３４は、情報用領域３３とは別個に光検出可能な情報が記録された構造となっている。なお、上記情報記録膜３２の材料は、上記第１の実施形態の情報記録膜１２の材料と同様のものが考えられる。
【００４５】
次に、図８に示すように、本実施形態の光ヘッド４は、上記第１の実施形態と同様のスライダ２０と、上記第１の実施形態の光デバイス２１に代わる光デバイス４１とを有している。この光デバイス４１は、上記第１の実施形態の光デバイス２１に加えて、更に近接場光を用いるトラッキング用光照射部５１およびトラッキング用光検出部５２を有している。すなわち、本実施形態の光ヘッド４は、上記第１の実施形態のトラッキング用光照射部２２およびトラッキング用光検出部２３に代えて、光デバイス４１に設けられた近接場光を用いるトラッキング用光照射部５１およびトラッキング用光検出部５２を有している。
【００４６】
具体的には、図８及び図９に示すように、光デバイス４１には、対象となる情報用領域３３の両側のトラッキング用情報記録帯３４に近接場光を照射する一対のトラッキング用光照射部５１が設けられている。
【００４７】
また、図９に示すように、光デバイス４１は、各トラッキング用光照射部５１に光を供給する半導体レーザ等の光源５０と、各光源５０から対応する光照射部５１まで光を伝搬させる光導波路５８とを備えている。なお、各トラッキング用光照射部５１は、光照射部２６と同様、光源５０の光の波長より小さい直径（例えば数十ｎｍ）の円形開口を有している。
【００４８】
また、光デバイス４１は、各トラッキング用光照射部５１にそれぞれ隣接して設けられたトラッキング用光検出部５２を備えている。これらのトラッキング用光検出部５２は、対応するトラッキング用光照射部５１から照射された近接場光に対する、トラッキング用情報記録帯３４からの反射光を検出するようになっている。
【００４９】
ここで、上記トラッキング用光照射部５１およびトラッキング用光検出器５２を用いたトラッキング制御について説明する。一対のトラッキング用光照射部５１，５１から照射された近接場光は、対象となる情報用領域３３の両側のトラッキング用情報記録帯３４で反射する。そして、この反射光を一対のトラッキング用光検出器５２，５２が検出し、トラッキング用情報記録帯３４に記録された情報に対応したトラッキング制御用の信号（以下、「トラッキング信号」という。）を得る。
【００５０】
この場合、スライダ２０が情報用領域３３に対してずれていない場合は、一対のトラッキング用光検出器５２，５２に対応するトラッキング信号の強度が等しくなる。これに対して、スライダ２０が情報用領域３３に対して左右いずれかの方向にずれた場合は、左右いずれかの側のトラッキング用光検出器５２に対応するトラッキング信号の強度が相対的に弱くなる。
【００５１】
従って、一対のトラッキング用光検出部５２，５２に対応するトラッキング信号の強度差に対に基づいて、この強度差が零になるようにスライダ２０の位置を制御する形で、トラッキング制御を行うことができる。
【００５２】
なお、近接場光による光ディスク３の記録面３ａ（情報記録帯３５）に対する情報の記録および再生、並びにスライダ２０による記録面３ａ上の走査については、上記第１の実施形態の場合と同様である。
【００５３】
次に、このような構成よりなる本実施形態の作用効果について説明する。本実施形態によれば、上述したようにトラッキング用情報記録帯３４を基準としてトラッキングを行いながら、情報用領域３３に含まれる複数の情報記録帯３５に対して、同時に近接場光による情報の記録または再生を行うことが可能となる。
【００５４】
このことにより、上記第１の実施形態と同様、単一の情報記録帯に対して近接場光による情報の記録または再生を行う場合に比べて、一度に記録又は再生できる情報量を増大させることができるので、記録面３ａに対する走査速度を上げなくても、近接場光による記録または再生における情報の転送速度を高めることができる。
【００５５】
ここで、本実施形態の変形例について説明する。この変形例は、図９に２点鎖線で示すように、上記光デバイス４１において、各トラッキング用光照射部５１の左右に、それぞれ近接場光を照射するトラッキング用光照射部５１ｂ，５１ｃを追加すると共に、これらのトラッキング用光照射部５１ｂ，５１ｃに対応させて、それぞれの反射光を検出するトラッキング用光検出部５２ｂ，５２ｃを追加したものである。
【００５６】
すなわち、この変形例においては、各トラッキング用情報記録帯３４に対応して、それぞれ３つずつのトラッキング用光照射部５１，５１ｂ，５１ｃおよびトラッキング用光検出部５２，５２ｂ，５２ｃが設けられている。この場合、トラッキング制御は、各トラッキング用情報記録帯３４の左右両側にトラッキング用光照射部５１ｂ，５１ｃを対応させ、上記第１の実施形態で説明したようなプッシュプル法を用いて行われる。
【００５７】
この変形例によれば、トラッキングに通常の伝搬光に比べて微弱な近接場光を用いる場合の信号強度の弱さを補って、トラッキングの確実性を向上させることができる。
【００５８】
なお、この場合も、上記第１の実施形態で説明した光照射部２６同士の間隔と同様の観点から、光ディスク３の記録面３ａに平行な方向における複数のトラッキング用光照射部５１，５１ｂ，５１ｃ同士の間隔は、光源５０の光の半波長より大きくなっている。
【００５９】
また、上記第１の実施形態で説明した光検出部２７の配置と同様の観点から、各トラッキング用光検出部５２，５２ｂ，５２ｃは、対応するトラッキング用光照射部５１，５１ｂ，５１ｃに対して、隣接する他のトラッキング用光照射部５１，５１ｂ，５１ｃとは反対の側の近傍に配置されている。
【００６１】
【発明の効果】
本発明によれば、一の光照射部に対応した情報記録帯からの反射光が、隣接する他の光照射部に対応する光検出部に漏れ込むことを防止できるので、特に反射光に関して、隣接する情報記録帯同士の間のクロストークをより効果的に防止することが可能となる。このため、記録面に対する走査速度を上げなくても、近接場光による記録または再生における情報の転送速度を高めることができると共に、当該情報の記録または再生を安定的なものとすることができる。
【図面の簡単な説明】
【図１】本発明による光ディスクおよび光ディスク装置の第１の実施形態を示す要部斜視図。
【図２】図１に示す光ディスク装置の光ヘッドを底面側から示す斜視図。
【図３】（ａ）は、図２に示す光ヘッドにおける光デバイスの構造を示す分解斜視図、（ｂ）は、（ａ）に示す光デバイスにおける光照射部および光検出部の配置を示す平面図。
【図４】図１に示す実施形態における光ディスク全体と光ヘッドとの関係を示す斜視図。
【図５】図１に示す光ディスクおよび光ディスク装置の変形例を示す要部斜視図。
【図６】図５に示す光ディスクおよび光ディスク装置の光ヘッド周辺の垂直断面図。
【図７】本発明による光ディスクおよび光ディスク装置の第２の実施形態を示す要部斜視図。
【図８】図７に示す光ディスク装置の光ヘッドを底面側から示す斜視図。
【図９】図８に示す光ヘッドの変形例における光デバイスの構造を示す分解斜視図。
【符号の説明】
１，１′，３  光ディスク
１ａ，１ａ′，３ａ  記録面
１３，３３  情報用領域
１４  トラッキング用溝部（トラッキング用領域）
１６  トラッキング用突起部（トラッキング用領域）
３４  トラッキング用情報記録帯（トラッキング用領域）
１５，３５  情報記録帯
２，４  光ヘッド
２０  スライダ（支持部材）
２１，４１  光デバイス
２２  トラッキング用光照射部（伝搬光用）
２３  トラッキング用光検出部（伝搬光用）
２５  光源
２６  光照射部
２７  光検出部
５０  トラッキング用光源
５１，５１ｂ，５１ｃ  トラッキング用光照射部（近接場光用）
５２，５２ｂ，５２ｃ  トラッキング用光検出部（近接場光用）
Ｒ  ディスク半径方向
Ｔ  ディスク周方向（トラック方向）
【図１】
0003746154.tif 000002
【図２】
0003746154.tif 000003
【図３】
0003746154.tif 000004
【図４】
0003746154.tif 000005
【図５】
0003746154.tif 000006
【図６】
0003746154.tif 000007
【図７】
0003746154.tif 000008
【図８】
0003746154.tif 000009
【図９】
0003746154.tif 000010